【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
処理部及び表示部を有し、
前記処理部は、第１の画像データを用いて、第２の画像データを生成する機能を有し、
前記表示部は、前記第２の画像データに基づいて、画像を表示する機能を有し、
前記表示部は、複数の画素を有し、
前記処理部は、第１の層、第２の層、及び第３の層を有し、
前記第１の層には、前記第１の画像データが供給され、
前記第１の画像データは、複数のデータを有し、
前記複数のデータは、それぞれ、前記複数の画素のいずれか一に対応し、
前記第１の層は、前記第１の画像データを用いて、１つの画素に対応するデータの数を、前記第１の画像データよりも増やすことで、第１の演算データを生成する機能を有し、
前記第２の層は、前記第１の演算データに重み係数を乗算することで、第２の演算データを生成する機能を有し、
前記第３の層は、前記第２の演算データを用いて、１つの画素に対応するデータの数を、前記第２の演算データよりも減らすことで、前記第２の画像データを生成する機能を有する、表示システム。
【請求項２】
処理部及び表示部を有し、
前記処理部は、第１の画像データを用いて、第２の画像データを生成する機能を有し、
前記表示部は、前記第２の画像データに基づいて、画像を表示する機能を有し、
前記表示部は、画素を複数有し、
前記処理部は、第１の層、第２の層、及び第３の層を有し、
前記第１の層には、前記第１の画像データが供給され、
前記第１の層は、前記第１の画像データを用いて、第１の演算データを生成する機能を有し、
前記第１の層は、前記第１の演算データを前記第２の層に供給する機能を有し、
前記第２の層は、前記第１の演算データ及び重み係数を用いて、第２の演算データを生成する機能を有し、
前記第２の層は、前記第２の演算データを前記第３の層に供給する機能を有し、
前記第３の層は、前記第２の演算データを用いて、前記第２の画像データを生成する機能を有し、
前記第１の画像データは、１つの画素に対応する第１のデータを、ａ個（ａは、１以上の整数）有し、
前記第１の演算データは、１つの画素に対応する第２のデータを、ｂ個（ｂは、ａより大きい整数）有し、
前記重み係数は、１つの画素に対応する第３のデータを、ｂ個有し、
前記第２の演算データは、１つの画素に対応する第４のデータを、ｂ個有し、
前記第２の画像データは、１つの画素に対応する第５のデータを、ｃ個（ｃは、ｂより小さい整数）有し、
前記第４のデータは、前記第２のデータのいずれか一と前記第３のデータのいずれか一との積である、表示システム。
【請求項３】
請求項１または２において、
前記表示部は、第１の表示領域、第２の表示領域、第１の駆動回路、及び第２の駆動回路を有し、
前記第１の駆動回路は、前記第１の表示領域を駆動する機能を有し、
前記第２の駆動回路は、前記第２の表示領域を駆動する機能を有する、表示システム。
【請求項４】
請求項１乃至３のいずれか一において、
前記処理部は、前記第１の画像データのうち、一部の画素に対応するデータのみを補正する機能を有する、表示システム。
【請求項５】
請求項１乃至４のいずれか一において、
前記処理部は、ニューラルネットワークを用いて、前記第２の画像データを生成する機能を有する、表示システム。
【請求項６】
請求項１乃至５のいずれか一において、
前記処理部は、ニューラルネットワーク回路を有する、表示システム。
【請求項７】
請求項１乃至６のいずれか一に記載の表示システムと、
アンテナ、バッテリ、筐体、カメラ、スピーカ、マイク、または操作ボタンの少なくともいずれか一と、を有する、電子機器。
【請求項８】
表示装置に第１の画像データを入力して表示された画像に基づく第１の輝度データを取得する工程と、
前記第１の輝度データを用いて、画像データを補正するための補正フィルタの値を更新する工程と、を有し、
前記第１の画像データは、座標データと、第１の色の階調データと、を有し、
前記第１の色の階調データは、それぞれ異なる座標に対応する複数の階調値を有し、
前記第１の色の階調データで表すことができる階調数がｋビット（ｋは２以上の整数）のとき、前記複数の階調値は、それぞれ、２ｋ−２以上３×２ｋ−２以下である、データ処理方法。
【請求項９】
請求項８において、
前記複数の階調値は、同じ値である、データ処理方法。
【請求項１０】
請求項８または請求項９において、
前記第１の画像データは、さらに、第２の色の階調データと、第３の色の階調データと、を有し、
前記第２の色の階調データは、それぞれ異なる座標に対応する複数の階調値を有し、
前記第３の色の階調データは、それぞれ異なる座標に対応する複数の階調値を有し、
前記第２の色の階調データが有する複数の階調値と、前記第３の色の階調データが有する複数の階調値と、は、０である、データ処理方法。
【請求項１１】
請求項８または請求項９において、
前記第１の画像データは、さらに、第２の色の階調データと、第３の色の階調データと、を有し、
前記第２の色の階調データは、それぞれ異なる座標に対応する複数の階調値を有し、
前記第３の色の階調データは、それぞれ異なる座標に対応する複数の階調値を有し、
前記第２の色の階調データで表すことができる階調数がｍビット（ｍは２以上の整数）のとき、前記第２の色の階調データが有する複数の階調値は、それぞれ、２ｍ−２以上３×２ｍ−２以下であり、
前記第３の色の階調データで表すことができる階調数がそれぞれｎビット（ｎは２以上の整数）のとき、前記第３の色の階調データが有する複数の階調値は、それぞれ、２ｎ−２以上３×２ｎ−２以下である、データ処理方法。
【請求項１２】
請求項１１において、
前記第２の色の階調データが有する複数の階調値は、同じ値であり、
前記第３の色の階調データが有する複数の階調値は、同じ値である、データ処理方法。
【請求項１３】
表示装置に第１の画像データを入力して表示された画像に基づく第１の輝度データを取得し、
前記第１の輝度データを用いて、画像データを補正するための補正フィルタの値を更新し、
前記第１の画像データを、前記第１の輝度データを用いて値が更新された前記補正フィルタで補正することで、第２の画像データを生成し、
前記表示装置に前記第２の画像データを入力して表示された画像に基づく第２の輝度データを取得し、
前記第２の輝度データを用いて、前記補正フィルタの値を更新する、データ処理方法。
【請求項１４】
請求項１３において、
前記第１の画像データは、座標データと、第１の色の階調データと、を有し、
前記第１の色の階調データは、それぞれ異なる座標に対応する複数の階調値を有し、
前記第１の色の階調データで表すことができる階調数がｋビット（ｋは２以上の整数）のとき、前記複数の階調値は、それぞれ、２ｋ−２以上３×２ｋ−２以下である、データ処理方法。
【請求項１５】
請求項１４において、
前記複数の階調値は、同じ値である、データ処理方法。
【請求項１６】
請求項１４または請求項１５において、
前記第１の画像データは、さらに、第２の色の階調データと、第３の色の階調データと、を有し、
前記第２の色の階調データは、それぞれ異なる座標に対応する複数の階調値を有し、
前記第３の色の階調データは、それぞれ異なる座標に対応する複数の階調値を有し、
前記第２の色の階調データが有する複数の階調値と、前記第３の色の階調データが有する複数の階調値と、は、０である、データ処理方法。
【請求項１７】
請求項１３において、
前記第１の画像データは、さらに、第２の色の階調データと、第３の色の階調データと、を有し、
前記第２の色の階調データは、それぞれ異なる座標に対応する複数の階調値を有し、
前記第３の色の階調データは、それぞれ異なる座標に対応する複数の階調値を有し、
前記第２の色の階調データで表すことができる階調数がｍビット（ｍは２以上の整数）のとき、前記第２の色の階調データが有する複数の階調値は、それぞれ、２ｍ−２以上３×２ｍ−２以下であり、
前記第３の色の階調データで表すことができる階調数がそれぞれｎビット（ｎは２以上の整数）のとき、前記第３の色の階調データが有する複数の階調値は、それぞれ、２ｎ−２以上３×２ｎ−２以下である、データ処理方法。
【請求項１８】
請求項１７において、
前記第２の色の階調データが有する複数の階調値は、同じ値であり、
前記第３の色の階調データが有する複数の階調値は、同じ値である、データ処理方法。
【請求項１９】
請求項８乃至１８のいずれか一において、
前記第１の輝度データは、二次元輝度計を用いて取得したデータである、データ処理方法。
【請求項２０】
処理部及び表示部を有し、
前記処理部は、画像データと、請求項８乃至１９のいずれか一に記載のデータ処理方法を用いて値が更新された補正フィルタと、を用いて、出力データを生成する機能を有し、
前記表示部は、前記出力データに基づいて、画像を表示する機能を有する、表示システム。